【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
潜像部と背景部とを含む地紋画像パッチを生成する画像処理装置であって、
潜像部の濃度パラメータと背景部の濃度パラメータとのうち少なくとも一方の濃度パラメータを変化させることで生成された第１の地紋画像パッチ群を出力する第１の地紋画像パッチ群出力手段と、
前記第１の地紋画像パッチ群出力手段で出力された第１の地紋画像パッチ群のうち少なくとも一つの地紋画像パッチを示す情報をユーザからの指示に基づいて入力する入力手段と、
前記入力手段で入力された情報が示す地紋画像パッチの生成に用いられた濃度パラメータに基づいて、第２の地紋画像パッチ群を生成する第２の地紋画像パッチ群生成手段とを有することを特徴とする画像処理装置。
【請求項２】
前記第２の地紋画像パッチ群生成手段で生成された第２の地紋画像パッチ群を出力する第２の地紋画像パッチ群出力手段と、
前記第２の地紋画像パッチ群出力手段で出力された第２の地紋画像パッチ群のうち一つの地紋画像パッチを示す情報をユーザからの指示に基づいて入力する第２の入力手段と、
前記第２の入力手段で入力された情報が示す地紋画像パッチの生成に用いられた濃度パラメータに基づいて、地紋画像を生成する地紋画像生成手段とを有することを特徴とする請求項１に記載の画像処理装置。
【請求項３】
前記第２の地紋画像パッチ群生成手段は、
前記入力手段で入力された情報が示す地紋画像パッチの生成に用いられた濃度パラメータに基づいて、前記第１の地紋画像パッチ群の濃度パラメータより小さな変化度合いで変化する濃度パラメータを生成し、当該生成された濃度パラメータに基づいて前記第２の地紋画像パッチ群を生成することを特徴とする請求項１又は２に記載の画像処理装置。
【請求項４】
前記第２の地紋画像パッチ群生成手段は、
前記入力手段で入力された情報が指定する地紋画像パッチの生成に用いられた濃度パラメータを含み、且つ、前記第１の地紋画像パッチ群の濃度パラメータより小さいな変化度合いで変化する濃度パラメータに基づいて、前記第２の地紋画像パッチ群を生成することを特徴とする請求項１又は２に記載の画像処理装置。
【請求項５】
前記第２の地紋画像パッチ群生成手段は、
前記入力手段で入力された情報が示す地紋画像パッチの生成に用いられた濃度パラメータを中心として、前記第１の地紋画像パッチ群の濃度パラメータより小さいな変化度合いで変化する濃度パラメータに基づいて、前記第２の地紋画像パッチ群を生成することを特徴とする請求項１又は２に記載の画像処理装置。
【請求項６】
前記第１の地紋画像パッチ群出力手段は、
前記第１の地紋画像パッチ群の各地紋画像パッチの夫々を示す情報を更に出力することを特徴とする請求項１に記載の画像処理装置。
【請求項７】
前記第２の地紋画像パッチ群出力手段は、
前記第２の地紋画像パッチ群の各地紋画像パッチの夫々を示す情報を更に出力することを特徴とする請求項２に記載の画像処理装置。
【請求項８】
前記第１の地紋画像パッチ群出力手段は、
前記生成された第１の地紋画像パッチ群を試し刷り画像に配置して出力することを特徴とする請求項１に記載の画像処理装置。
【請求項９】
前記第１の地紋画像パッチ群出力手段は、
前記生成された第１の地紋画像パッチ群における各地紋画像の間隔が無いように、試し刷り画像に配置して出力することを特徴とする請求項１に記載の画像処理装置。
【請求項１０】
前記第１の地紋画像パッチ群出力手段は、
潜像部の濃度パラメータと背景部の濃度パラメータとのうちの少なくとも一方の濃度パラメータを変化させることで第１の地紋画像パッチ群を生成する第１の地紋画像パッチ群生成手段と、
前記第１の地紋画像パッチ群生成手段で生成された第１の地紋画像パッチ群を出力する出力手段とを有することを特徴とする請求項１に記載の画像処理装置。
【請求項１１】
潜像部と背景部とを含む地紋画像パッチを生成する画像処理方法であって、
潜像部の濃度パラメータと背景部の濃度パラメータとのうち少なくとも一方の濃度パラメータを変化させることで生成された第１の地紋画像パッチ群を出力する第１の地紋画像パッチ群出力工程と、
前記第１の地紋画像パッチ群出力工程で出力された第１の地紋画像パッチ群のうち少なくとも一つの地紋画像パッチを示す情報をユーザからの指示に基づいて入力する入力工程と、
前記入力工程で入力された情報が示す地紋画像パッチの生成に用いられた濃度パラメータに基づいて、第２の地紋画像パッチ群を生成する第２の地紋画像パッチ群生成工程とを有することを特徴とする画像処理方法。
【請求項１２】
前記第２の地紋画像パッチ群生成工程で生成された第２の地紋画像パッチ群を出力する第２の地紋画像パッチ群出力工程と、
前記第２の地紋画像パッチ群出力工程で出力された第２の地紋画像パッチ群のうち一つの地紋画像パッチを示す情報をユーザからの指示に基づいて入力する第２の入力工程と、
前記第２の入力工程で入力された情報が示す地紋画像パッチの生成に用いられた濃度パラメータに基づいて、地紋画像を生成する地紋画像生成工程とを有することを特徴とする請求項１１に記載の画像処理方法。
【請求項１３】
前記第２の地紋画像パッチ群生成工程は、
前記入力工程で入力された情報が示す地紋画像パッチの生成に用いられた濃度パラメータに基づいて、前記第１の地紋画像パッチ群の濃度パラメータより小さな変化度合いで変化する濃度パラメータを生成し、当該生成された濃度パラメータに基づいて前記第２の地紋画像パッチ群を生成することを特徴とする請求項１１又は１２に記載の画像処理方法。
【請求項１４】
前記第２の地紋画像パッチ群生成工程は、
前記入力工程で入力された情報が指定する地紋画像パッチの生成に用いられた濃度パラメータを含み、且つ、前記第１の地紋画像パッチ群の濃度パラメータより小さいな変化度合いで変化する濃度パラメータに基づいて、前記第２の地紋画像パッチ群を生成することを特徴とする請求項１１又は１２に記載の画像処理方法。
【請求項１５】
前記第２の地紋画像パッチ群生成工程は、
前記入力工程で入力された情報が示す地紋画像パッチの生成に用いられた濃度パラメータを中心として、前記第１の地紋画像パッチ群の濃度パラメータより小さいな変化度合いで変化する濃度パラメータに基づいて、前記第２の地紋画像パッチ群を生成することを特徴とする請求項１１又は１２に記載の画像処理方法。
【請求項１６】
前記第１の地紋画像パッチ群出力工程は、
前記第１の地紋画像パッチ群の各地紋画像パッチの夫々を示す情報を更に出力することを特徴とする請求項１１に記載の画像処理方法。
【請求項１７】
前記第２の地紋画像パッチ群出力工程は、
前記第２の地紋画像パッチ群の各地紋画像パッチの夫々を示す情報を更に出力することを特徴とする請求項１２に記載の画像処理方法。
【請求項１８】
前記第１の地紋画像パッチ群出力工程は、
前記生成された第１の地紋画像パッチ群を試し刷り画像に配置して出力することを特徴とする請求項１１に記載の画像処理方法。
【請求項１９】
前記第１の地紋画像パッチ群出力工程は、
前記生成された第１の地紋画像パッチ群における各地紋画像の間隔が無いように、試し刷り画像に配置して出力することを特徴とする請求項１１に記載の画像処理方法。
【請求項２０】
前記第１の地紋画像パッチ群出力工程は、
潜像部の濃度パラメータと背景部の濃度パラメータとのうちの少なくとも一方の濃度パラメータを変化させることで第１の地紋画像パッチ群を生成する第１の地紋画像パッチ群生成工程と、
前記第１の地紋画像パッチ群生成工程で生成された第１の地紋画像パッチ群を出力する出力工程とを有することを特徴とする請求項１１に記載の画像処理方法。
【請求項２１】
請求項１１乃至２０の何れか一項に記載の画像処理方法の各手順をコンピュータに実行させるためのプログラム。
【請求項２２】
請求項２１に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像処理装置及び画像処理方法
【手続補正３】
【補正対象書類名】明細書
【補正対象項目名】００３２
【補正方法】変更
【補正の内容】
【００３２】
本発明は、潜像部と背景部とを含む地紋画像パッチを生成する画像処理装置であって、潜像部の濃度パラメータと背景部の濃度パラメータとのうち少なくとも一方の濃度パラメータを変化させることで生成された第１の地紋画像パッチ群を出力する第１の地紋画像パッチ群出力手段と、前記第１の地紋画像パッチ群出力手段で出力された第１の地紋画像パッチ群のうち少なくとも一つの地紋画像パッチを示す情報をユーザからの指示に基づいて入力する入力手段と、前記入力手段で入力された情報が示す地紋画像パッチの生成に用いられた濃度パラメータに基づいて、第２の地紋画像パッチ群を生成する第２の地紋画像パッチ群生成手段とを有することを特徴とする。
【手続補正４】
【補正対象書類名】明細書
【補正対象項目名】００３３
【補正方法】変更
【補正の内容】
【００３３】
また、本発明は、潜像部と背景部とを含む地紋画像パッチを生成する画像処理方法であって、潜像部の濃度パラメータと背景部の濃度パラメータとのうち少なくとも一方の濃度パラメータを変化させることで生成された第１の地紋画像パッチ群を出力する第１の地紋画像パッチ群出力工程と、前記第１の地紋画像パッチ群出力工程で出力された第１の地紋画像パッチ群のうち少なくとも一つの地紋画像パッチを示す情報をユーザからの指示に基づいて入力する入力工程と、前記入力工程で入力された情報が示す地紋画像パッチの生成に用いられた濃度パラメータに基づいて、第２の地紋画像パッチ群を生成する第２の地紋画像パッチ群生成工程とを有することを特徴とする。